(57)【要約】      （修正有）【課題】携帯電話で通話しながらでも携帯電話がインターホン親機に接続されたルータとの無線通信範囲内にいれば電気錠の解錠をおこなうことを可能としたインターホンシステムを提供する。【解決手段】玄関周辺の映像を撮像する子機カメラを有する玄関子機と、玄関子機からの映像を出力する親機モニタを有したインターホン親機と、玄関扉の開閉を行う電気錠と、玄関子機と通信する携帯音響部を有する携帯電話と、インターホン親機と携帯電話間の伝送を確立するルータで構成されたインターホンシステムにおいて、ルータと携帯電話が通信可能な範囲内にある場合において、携帯電話には、玄関子機を起動終了する為の玄関子機起動／終了操作部と、玄関子機からの映像を出力する携帯モニタ、他の携帯電話との動作中に、玄関子機を起動し、玄関周辺の映像を撮像する制御を行う携帯ＣＰＵとを備える。【選択図】図１
2011097381.tif 000002
【特許請求の範囲】
【請求項１】
玄関周辺の映像を撮像する子機カメラ（１０１）を有する玄関子機（１）と、前記玄関子機からの映像を出力する親機モニタ（２０２）を有したインターホン親機（２）と、玄関扉の開閉を行う電気錠（５）と、前記玄関子機と通信する携帯音響部(４０３)を有する携帯電話（４）と、前記インターホン親機と前記携帯電話との伝送を確立するルータ（３）で構成されたインターホンシステムにおいて、
前記ルータと前記携帯電話が通信可能な範囲内にある場合において、
前記携帯電話には、前記玄関子機を起動終了する為の玄関子機起動／終了操作部(４０４)と、前記玄関子機からの映像を出力する携帯モニタ（４０２）、他の携帯電話（６）との動作中に、前記玄関子機を起動し、玄関周辺の映像を撮像する制御を行う携帯ＣＰＵ（４０５）と、を備えた事を特徴とする、インターホンシステム。
【請求項２】
前記携帯ＣＰＵには、前記玄関子機が起動中に前記他の携帯電話との通話を終了させるために前記玄関子機起動／終了操作部を操作したとき、子機音響部（１０３）からの受話音声を前記携帯音響部に出力する制御を行う機能を備えたことを特徴とする請求項１記載のインターホンシステム。
【請求項３】
前記携帯ＣＰＵには、前記玄関子機が起動中に前記他の携帯電話との通話を終了させるために前記玄関子機起動／終了操作部を操作したとき、前記携帯音響部からの送話音声を子機音響部（１０３）に出力する制御を行う機能を備えたことを特徴とする請求項１または２記載のインターホンシステム。
【請求項４】
前記携帯電話には、前記玄関子機が起動中に前記電気錠の解錠操作を行う電気錠操作部（４０６）と、前記携帯ＣＰＵには、前記電気錠操作部によって操作されたとき、前記電気錠に解錠信号を送信する機能を備えた事を特徴とする請求項１乃至３の何れか１項記載のインターホンシステム。
【請求項５】
前記携帯電話には、前記電気錠の暗証番号認証操作を行う前記電気錠操作部と、前記ＣＰＵには、前記電気錠操作部で入力された暗証番号と予め登録された暗証番号が一致したとき、前記電気錠に解錠信号を送信する制御を行う機能を備えた事を特徴とする請求項４記載のインターホンシステム。
【請求項６】
前記インターホン親機には、前記電気錠の解錠時間を指定する前記操作部と、前記電気錠操作部で解錠時間を指定した時間を計時するタイマ（２０６）と、前記タイマが指定した時間を経過した時、前記電気錠を施錠状態とする機能を備えた前記ＣＰＵを特徴とする請求項４記載のインターホンシステム。
【発明の詳細な説明】
【技術分野】
【０００１】
本発明はインターホンシステムに係り、得に携帯電話での通話時に当該携帯電話を用いてインターホン親機に接続されている電気錠の解錠と施錠ができるインターホンシステムに関する。
【背景技術】
【０００２】
従来から、携帯端末と玄関子機との通話中に電気錠を解錠させることを可能とするインターホンシステムが知られている。
このインターホンシステムによれば、外出先であっても玄関子機と通話状態にあれば電気錠を解錠することができるので、少しの間、留守をして、その間に約束していた来訪者がきた場合であっても、電気錠を解錠し、宅内に招き入れることも可能となる。
【先行技術文献】
【特許文献】
【０００３】
【特許文献１】特開２００４−２６０７３５号
【発明の開示】
【発明が解決しようとする課題】
【０００４】
しかしながら、従来のインターホンシステムでは、携帯電話同士で通話している場合には、玄関子機からの呼び出しがあっても応答することができず、当然、電気錠の解錠を行うこともできない。
本発明は、上記難点を解決するためになされたものであって、携帯電話で通話しながらでも携帯電話がインターホン親機に接続されたルータとの無線通信範囲内にいれば電気錠の解錠をおこなうことを可能としたインターホンシステムを提供することを目的とする。
【課題を解決するための手段】
【０００５】
上記課題を解決するために、請求項１に記載の発明は、玄関周辺の映像を撮像する子機カメラを有する玄関子機と、玄関子機からの映像を出力する親機モニタを有したインターホン親機と、玄関扉の開閉を行う電気錠と、玄関子機と通信する携帯音響部を有する携帯電話と、インターホン親機と携帯電話との伝送を確立するルータで構成されたインターホンシステムにおいて、ルータと携帯電話が通信可能な範囲内にある場合において、携帯電話には、玄関子機を起動終了する為の玄関子機起動／終了操作部と、玄関子機からの映像を出力する携帯モニタ、他の携帯電話との動作中に、玄関子機を起動し、玄関周辺の映像を撮像する制御を行う携帯ＣＰＵと、を備えた事を特徴とする。
【０００６】
請求項２に記載の発明は、請求項１において、携帯ＣＰＵには、玄関子機が起動中に他の携帯電話との通話を終了させるために玄関子機起動／終了操作部を操作したとき、子機音響部からの受話音声を携帯音響部に出力する制御を行う機能を備えたことを特徴とする。
請求項３に記載の発明は、請求項１または２記載において、携帯ＣＰＵには、玄関子機が起動中に他の携帯電話との通話を終了させるために玄関子機起動／終了操作部を操作したとき、携帯音響部からの送話音声を子機音響部に出力する制御を行う機能を備えたことを特徴とする。
請求項４に記載の発明は、請求項１乃至３の何れか１項において、携帯電話には、玄関子機が起動中に電気錠の解錠操作を行う電気錠操作部と、携帯ＣＰＵには、電気錠操作部によって操作されたとき、電気錠に解錠信号を送信する機能を備えた事を特徴とする。
請求項５に記載の発明は、請求項４において、携帯電話には、電気錠の暗証番号認証操作を行う電気錠操作部と、ＣＰＵには、電気錠操作部で入力された暗証番号と予め登録された暗証番号が一致したとき、電気錠に解錠信号を送信する制御を行う機能を備えた事を特徴とする。
請求項６に記載の発明は、請求項４において、インターホン親機には、電気錠の解錠時間を指定する操作部と、電気錠操作部で解錠時間を指定した時間を計時するタイマと、タイマが指定した時間を経過した時、電気錠を施錠状態とする機能を備えたＣＰＵを特徴とする。
【発明の効果】
【０００７】
請求項１の発明によれば、携帯電話で、他の携帯電話との通話中に、玄関子機のカメラを起動させ玄関周辺の映像を当該携帯電話のモニタに出力し確認する事ができる。
請求項２の発明によれば、通話を終了したときに、玄関子機からの受話音声を移動端末に出力する事ができるので音声による確認も可能となる。
請求項３の発明によれば、通話を終了したときに、携帯電話から玄関子機に音声を出力する事ができるので、携帯電話での通話終了後でも来訪者と通話することが可能となる。
請求項４の発明によれば、携帯電話を用いて電気錠の解錠操作を行う事ができるので、来訪者は、玄関子機での呼び出し、通話をおこなう必要がないし、居住者もインターホン親機での操作が不要となる。
請求項５の発明によれば、電気錠解錠するために、暗証番号入力が必要であり、暗証番号を知らない人が勝手に電気錠を解錠することがなくなる。
請求項６の発明によれば、電気錠の解錠時間を指定する事ができるので、来訪者の動作にあわせて、解錠時間の改変をおこなうことができる。
【発明を実施するための最良の形態】
【０００８】
以下、本発明によるインターホンシステムを適用した好ましい形態の実施例について、図１を参照して説明する。
図１には、来訪者が操作し、居住者と通話するための玄関子機１と、居住者が玄関子機１からの呼び出しに応答し、来訪者と通話するインターホン親機２と、インターホン親機２及び携帯電話４との通話路を確立するためのルータ３と、インターホン親機に接続される電気錠５と、本実施例においてはルータ３の通信可能範囲外にある他の携帯電話６とで構成されている。
玄関子機１には、玄関周辺の映像を撮像する子機カメラ１０１と、インターホン親機２、携帯電話４を呼出すための呼出ボタン１０２と、インターホン親機２、携帯電話４と通話するための子機音響部１０３と、インターホン親機２と通信するための子機Ｉ／Ｆ１０４を備えている。
インターホン親機２には、子機カメラ１０１からの映像信号を出力する親機モニタ２０２と、玄関子機１、携帯電話４から呼び出されたときにおこなう応答操作や、後述する電気錠５の解錠時間を設定する操作、その他インターホン親機の種々の操作をおこなうための操作部２０３と、玄関子機１、携帯電話４と通話するための親機音響部２０４と、電気錠５の解錠時間を計時するタイマ２０６と、インターホン親機２の各部を制御する親機ＣＰＵ２０５と、玄関子機１と通信するための親機Ｉ／Ｆ２０１で構成されている。
【０００９】
携帯電話４には、子機カメラ１０１からの映像信号を出力する携帯モニタ４０２と、他の通信機器と通話するための携帯Ｉ／Ｆ４０１と、玄関子機１、インターホン親機２、他の携帯電話６と通話するための携帯音響部４０３と、玄関子機１、インターホン親機２から呼出されたときに応答、終了するための玄関子機起動／終了操作部４０４と、インターホン親機２に接続された電気錠５を解錠するための電気錠操作部４０６と、携帯電話４の各部を制御する携帯ＣＰＵ４０５とで構成されている。
まずは、玄関子機１と携帯電話４間の通話動作を説明する。
携帯電話４がルータ３から近距離であるとき、つまり、無線通信が可能状態であるとき、玄関子機起動／終了操作部４０４を操作することができる。例えば、携帯電話４の携帯モニタ４０２に玄関子機起動／終了操作部４０４を表示させ、タッチパネルによる操作をすることも可能である。この状態で、玄関子機１の呼出ボタン１０２を操作すると、呼出信号が子機Ｉ／Ｆ１０４を介してインターホン親機２に送信され、インターホン親機２では、親機Ｉ／Ｆ２０１を介して親機ＣＰＵ２０５にて受信される。親機ＣＰＵ２０５は、親機音響部２０４を制御して呼出音を報音する。また、これと共に呼出信号は親機Ｉ／Ｆ２０１からルータ３へ送信され、携帯Ｉ／Ｆ４０１を介して携帯ＣＰＵ４０５に呼出信号が送信される。携帯電話４では、携帯Ｉ／Ｆ４０１を介して携帯ＣＰＵ４０５にて受信され、携帯音響部４０３から呼出音が報音される。このとき、携帯ＣＰＵ４０５は、ルータ３の無線通信可能な範囲にあるため玄関子機起動／終了操作部４０４を能動とすることができ、居住者は、当該玄関子機起動／終了操作部４０４で応答操作すると、応答信号が、呼出信号と逆の経路をたどってインターホン親機２及び玄関子機１に送信することができる。これにより、玄関子機１と携帯電話４間が通話状態となり、子機カメラ１０１で撮像した映像信号は、子機Ｉ／Ｆ１０４、親機Ｉ／Ｆ、ルータ３、携帯Ｉ／Ｆ４０１を介して携帯モニタ４０２に出力されると共に、玄関子機１の子機音響部１０３と携帯電話の携帯音響部４０３とで通話をおこなうことができる。
【００１０】
尚、玄関子機１からの呼出ボタン１０２を操作したときの動作説明を行ったが、待受け状態で、携帯電話４の玄関子機起動／終了操作部４０４を操作した時であっても、同様に玄関子機１と携帯電話４間で通話することができる。
次に、携帯電話４がルータ３の無線通信可能な範囲内にあり、他の携帯電話６がルータ３の無線通信可能な範囲外にある場合において説明する。
携帯電話４の所有者宅近くにいる来訪者が他の携帯電話６を操作して携帯電話４を呼び出し通話している状態（携帯電話網を使用）において、携帯ＣＰＵ４０５は、携帯電話４がルータ３の無線通信可能な範囲内にあるかを確認する。本実施例では当該範囲内にあるため、玄関子機起動／終了操作部４０４を能動とし、居住者が玄関子機起動／終了操作部４０４を操作すると、子機起動信号が呼出信号と逆の経路を経由して応答信号が玄関子機１及びインターホン親機２に送信される。これにより、玄関子機１が能動状態となり、玄関子機１の子機カメラ１０１を駆動する。当該子機カメラ１０１からの映像信号は、上述の映像信号と同様の経路で携帯電話４に送信され、携帯モニタ４０２にて出画される。なお、玄関子機１からの音声信号は携帯電話４へ送信されるが、他の携帯電話６と通話をおこなっているため携帯音響部４０３に出力されることはない。
その後、携帯モニタ４０２を確認した居住者は、玄関先に来訪者がいることを確認できたら、電気錠操作部４０６にて暗証番号を入力する。電気錠操作部４０６で入力された暗証番号が付加された電気錠解錠信号は、応答信号と同様の経路をたどってインターホン親機の親機ＣＰＵ２０５に送信される。親機ＣＰＵ２０５では、送信されてきた電気錠解錠信号に付加された暗証番号と予め設定されインターホン親機２に記憶されている暗証番号（不図示）を比較し、一致した場合には、親機ＣＰＵ２０５は、電気錠５に解錠信号を送信し、電気錠５を解錠することができる。暗証番号が一致しなかった場合には、そのまま、電気錠５の施錠状態を保ち続ける。
【００１１】
また、電気錠操作部４０６にて電気錠５の解錠時間を指定する事ができる。電気錠操作部４０６で解錠時間を入力した後で解錠操作を行うと解錠時間設定信号及び電気錠解錠信号が、電気錠解錠信号と同様な経路でインターホン親機２に送信され親機ＣＰＵ２０５にて受信される。これにより、親機ＣＰＵ２０５は、タイマ２０６に電気錠解錠時間を設定し計時を開始させて電気錠解錠信号により解錠した後の施錠時間のカウントを開始する制御をおこなう。
これにより、電気錠解錠後、自分で指定した解錠時間をタイマ２０６で計時し、完了後、電気錠５を施錠することができる。
なお、上記実施例は戸建のインターホンシステムに適用した例を説明したが、これに限られず、集合住宅インターホンシステムであっても適用可能である。
即ち、図２のシステム構成図に示すように、集合住宅のエントランスに設置される集合玄関機１０、各居室に設置されるインターホン親機２０、各インターホン親機２０に接続されるルータ３０、携帯電話４０、エントランス等のオートドアに用いられる電気錠５０、本実施例においてはルータ３０との通信可能範囲外にある他の携帯電話６０、集合玄関機１０、インターホン親機２０、オートドアの電気錠５０を制御する制御機７０から構成される。
【００１２】
このように構成することにより、上記第１の実施例と同様、ルータ３０の無線通信可能な範囲内にある携帯電話４０とルータ３０の無線通信可能な範囲外にある他の携帯電話６０との通話中に、携帯電話４０の集合玄関機起動／終了操作部（第１の実施例における玄関子機起動／終了操作部に相当）を操作し、集合玄関機１０のカメラを起動し、制御機７０、インターホン親機２０、ルータ３０を介して携帯電話４０の携帯モニタに出画し、電気錠操作部を操作することで、電気錠５０を解錠することが可能となる。
これにより、集合玄関機の操作がわからない来訪者に対しても、居住者の携帯電話に電話をかけることにより電気錠が解錠されるので便利である。
【図面の簡単な説明】
【００１３】
【図１】本発明の第１の実施例における電気錠システムのブロック図である。
【図２】本発明の第２の実施例における電気錠システムのシステム構成図である。
【符号の説明】
【００１４】
１・・・              玄関子機
１０１・・・                子機カメラ
２・・・              インターホン親機
３・・・              ルータ
４・・・              携帯電話
４０２・・・                携帯モニタ
４０３・・・                携帯音響部
４０４・・・                玄関子機起動／終了操作部
４０５・・・                携帯ＣＰＵ
６・・・              他の携帯電話
【図１】
2011097381.tif 000003
【図２】
2011097381.tif 000004